(57)【要約】【課題】ターンテーブルとともに光ディスクを挟持するクランパの薄型化を図り、前記薄型のクランパを備えた記録／再生装置及びこの記録／再生装置を内蔵する電子機器機器の薄型化を可能にする。【解決手段】光ディスクの上面を押圧する円形皿状の底面部２１の上面中央部に環状の磁石体７を設け、前記磁石体７の周囲に間隔を設けて複数個の基部片２４を配設し、各基部片２４から同一方向に延出して形成された弾性を有する複数個のアーム片２５と、各アーム片２５の先端部には底面部２１の径方向に対して外向きに突出するほほ水平な係止フィン２６とを備えたクランパ２を形成し、光ディスクの載置を可能とするトレイ５の搬入／搬出動作に伴うクランパ２の上下動のストロークを各アーム片２５に沿う螺旋運動的な動作によって確保する。【選択図】図５
2007066429.tif 000002
【特許請求の範囲】
【請求項１】
水平な支持板に取り付け開口部を形成し、前記取り付け開口部に回転自在及び上下動自在に嵌合する記録／再生装置のクランパにおいて、前記クランパは、円盤状の記憶媒体を押圧する円形皿状の底面部と、前記底面部の上面中央部に設置する環状の磁石体と、前記磁石体の周囲に間隔を設けて配設する複数個の基部片と、前記各基部片から同一方向に湾曲して延出し、前記底面部から離間した弾性を有するアーム片と、前記アーム片の先端部に前記底面部の径方向に対して外向きに突出する略水平の係止フィンとを備えたことを特徴とする記録／再生装置のクランパ。
【請求項２】
クランパを構成する底面部、基部片、アーム片、及び係止フィンを一体に形成したことを特徴とする請求項１に記載の記録／再生装置のクランパ。
【請求項３】
係止フィンの上面には、下向きに傾斜する傾斜面を形成したことを特徴とする請求項１又は請求項２に記載の記録／再生装置のクランパ。
【請求項４】
アーム片の少なくとも一部には、底面部の径方向に対して内向きに突出する係止突起を設け、前記係止突起の下面が前記底面部の上面中央部に設置する磁石体の上面に当接したことを特徴とする請求項１乃至請求項３の何れか１つに記載の記録／再生装置のクランパ。
【請求項５】
係止突起の上面を下向きに傾斜する傾斜面としたことを特徴とする請求項４に記載の記録／再生装置のクランパ。
【請求項６】
少なくとも、外装ケースの上面に設置して取り付け開口部を有する金属製の水平な支持板と、前記支持板の取り付け開口部に回転及び上下動自在に嵌合する樹脂製のクランパと、前記クランパの内部に設置する磁石体と、前記クランパと対向する位置から前記外装ケースの内部に挿入する記憶媒体を持ち上げ回転可能とする磁性体を備えたターンテーブルと、前記記憶媒体の記録面にレーザー光を照射して情報の読み込み或いは書き込みを行うピックアップユニットとを備えた記録／再生装置において、前記ターンテーブルは高さ方向において移動可能とし、前記ターンテーブルが高位置にあるときは対向位置にある前記クランパとともに磁力により前記記憶媒体を挟持し、前記ターンテーブルが低位置にあるときは対向位置にある前記クランパと前記支持板との間で磁力が働いて前記クランパが吸引力により上方へと引き上げられる構造としたことを特徴とする請求項１乃至請求項５の何れか１つに記載のクランパを備えた記録／再生装置。
【発明の詳細な説明】
【技術分野】
【０００１】
本発明は、装置内部に挿入された記憶媒体をターンテーブルとともに挟持する記録／再生装置のクランパ及び該クランパを備えた記録／再生装置に関し、詳しくは、記録／再生装置の薄型化等に寄与するクランパの構造に関する。尚、本発明において、記録／再生装置とは、記録媒体の記録を行なう記録装置、記録媒体の再生を行なう再生装置、又は記録媒体の記録及び再生を行なう記録再生装置のことである。
【背景技術】
【０００２】
従来より、情報を記録するために、或いは予め情報が記録してある記憶媒体としてＤＶＤやＣＤ等の光ディスクを用い、前記光ディスクの記録或いは再生を行う記録／再生装置がある。この記録／再生装置は、例えば、外装ケースの内外において、光ディスクを搬入若しくは搬出する出入り自在のトレイと、前記外装ケースに搬入された光ディスクを持ち上げ回転する磁性体を備えたターンテーブルと、前記ターンテーブルによって持ち上げられた光ディスクの記録面にレーザー光を照射して前記光ディスクへの情報の記録或いは前記ディスクに予め記録してある情報の再生を行う光ピックアップユニット等により構成されている。さらに、ターンテーブルと対向する外装ケースの上方位置には、磁石体を内蔵したクランパが上下動及び回転自在に設けてあり、このターンテーブルとクランパとの間で生じる磁力により外装ケース内に搬入された光ディスクを挟持している。
【０００３】
光ディスクを挟持する動作について詳述すれば、外装ケースの外側においてトレイ上に載置された光ディスクが前記トレイとともに外装ケースの内部へと搬入し、前記トレイが前記外装ケース内部における所定の位置へ到達することで予め低位置にあるターンテーブルが上昇を開始し、前記光ディスクが前記トレイから前記ターンテーブルに渡され、前記外装ケースの上方位置に設けたクランパが前記ターンテーブルの対向位置より前記光ディスクを押圧した状態で前記ターンテーブルが回転を始める。
【０００４】
このとき、クランパの下部にターンテーブが接近することにより、前記クランパの磁石体と前記ターンテーブル上の磁性体とが磁気的に吸引し、前記クランパが光ディスクを挟んで前記ターンテーブルに着脱自在に密着し、前記光ディスクを前期ターンテーブルに対してずれないように押圧する。
【０００５】
また、外装ケース内から光ディスクを搬出するときは、クランパとともに光ディスクを挟持した状態にあるターンテーブルが下降して前記クランパが前記ターンテーブルから引き離された後、前記ターンテーブル上の光ディスクがトレイに渡され、前記トレイが外装ケースの外部へと搬出される。
【０００６】
ところで、この種の記録／再生装置を内蔵する電子機器においては、前記電子機器の小型化等を図るためにも内蔵する前記記録／再生装置を極力薄型化することが望まれる。また、組み立ての簡素化及びコストダウン等を図る観点から、極力部品点数を少なくすることも要求される。さらに、品質向上等を図るため、前記記録／再生装置の動作時における静音特性を向上することも要求される。
【０００７】
この場合、クランパの構成についても部品点数を少なくするとともに記録／再生装置の薄型化に貢献する構造とし、さらに、不快な衝突音を抑えることが必要になる。
【０００８】
そして、本出願人の既出願等により、図９のクランパの分解斜視図、図１０のその取り付け状態の断面図に示すクランパ１００を備えた記録／再生装置が提案されている（例えば、特許文献１参照。）。
【０００９】
既提案のクランパ１００は、ディスク押圧部を形成する樹脂製の円形皿状のクランパ本体１０１を有し、このクランパ本体１０１の上面中央部に立設する円筒状のガイド１０２の内側には環状の磁石体１０３を設け、前記磁石体１０３は、ガイド１０２とこのガイド１０２の内側の同心円状の円筒突起１０４との間に嵌め込まれて固定される。
【００１０】
さらに、前記ガイド１０２の上端部には、例えば３つの爪部１０５が突出して形成され、これら各爪部１０５は外方に突出し下向きに傾斜する外爪部分１０５ａを有する。
【００１１】
一方、光ディスクドライブのターンテーブル上方に位置した外装ケース（本体フレーム）の天板等の水平な金属板（鋼板等）の支持部材２００に、クランパ取り付け用の開口部２０１が形成される。
【００１２】
そして、前記クランパ１００は支持部材２００の下方から開口部２０１に差し込まれて押し上げられ、この押し上げにより、開口部２０１の周縁に当ったガイド１０２の上端部の各爪部１０５がその弾性（バネ性）により内方に撓みながら開口部２０１を通過し、前記開口部２０１の上面側に突出すると、各爪部１０５は外方に広がって元の状態に戻り、前記各爪部１０５の下面が前記開口部２０１周縁の上面側に抜けないように係合し、前記開口部２０１に取り付けられた前記クランパ１００が支持部材２００に対して回転自在及び上下動可能に支持される。
【００１３】
そして、ターンテーブルがクランパ１００から離れた下方の待機位置にあるときは、前記クランパ１００に設けた磁石体１０３と磁性体で形成された支持部材２００との間に吸引力が働き、前記クランパ１００全体が上方へと浮き上がった状態となる。尚、ターンテーブルが下方の待機位置にある状態とは、例えば、トレイを備えた記録／再生装置であれば、前記トレイが前記記録／再生装置の外部に搬出した状態、或いは、前記トレイが搬入若しくは搬出動作の途中にある状態に該当する。
【００１４】
つぎに、記録／再生装置の外部よりトレイによって光ディスクがターンテーブルとクランパ１００との間に搬入されると、前述したように前記ターンテーブルが上昇して前記クランパ１００に接近し、前記ターンテーブル上の磁性体と前記クランパに設ける磁石体１０３との間で磁力が働き、この磁力が支持部材２００と磁石体１０３との間で働く吸引力よりも大きくなり、前記クランパ１００が前記ターンテーブルに引き寄せられて前記光ディスクが挟持され、この状態で前記ターンテーブルが回転駆動することによって前記光ディスクの記録或いは再生が行われる。
【００１５】
この構成においては、ターンテーブルが下方の待機位置にあるときのクランパ１００の上方への引き上げに別途専用の磁石や磁性体を設ける必要がなく、設計の自由度が大きくなる。又、磁石や磁性体の設置スペースを前記クランパ１００の移動スペースとして用い、前記クランパ１００のストロークが長く取れることで、光ディスクを搬入する際に前記クランパ１００が邪魔にならないように上方へと引き上げて退避させることができ、その分、記録／再生装置の薄型化が可能となる。さらに、前記クランパ１００を退避させるための別途磁石等が不要となるため、構造が簡略化でき、部品点数を減らすこともでき、そのため、製造コストを軽減することが可能となる。
【特許文献１】特開２００５−１８９５１号公報（［００１２］−［００２２］、図４、図５等）
【発明の開示】
【発明が解決しようとする課題】
【００１６】
前記図９及び図１０に示す従来の記録／再生装置における光ディスクのクランプ機構は、クランパ１００に上下動のストロークをとってフックとしての下側に折曲した形状の各爪部１０５を設け、前記爪部１０５を天板等の前記支持部材２００に引っ掛けて前記クランパ１００をほぼ垂直な状態に懸垂支持する構成としている。
【００１７】
この構成の場合、支持部材２００に対する各爪部１０５の十分な掛り量を確保してクランパ１００を確実に支持するためには、前記爪部１０５をある程度上方に長くしなければならず、その分前記クランパ１００のストロークが大きくなり、前記クランパ１００を十分に薄くできないことによる記録／再生装置の一層の薄型化を図る場合の支障となる。
【００１８】
また、各爪部１０５を長くするとストロークが長くなってクランパ１００の上下動の距離が長くなり、記録／再生装置の内部に搬入された光ディスクを挟持するときにおいて、ターンテーブルに備えた磁性体との吸引力によって下動する前記クランパ１００の各爪部１０５が金属製の支持板２００に対してかなりの衝撃で当接して不快な衝突音が発生し、十分な静音特性が得られず、前記記録／再生装置の一層の品質向上等を図ることが困難になる。
【００１９】
本発明は、この種の記録／再生装置に備えるクランパの一層の薄型構造を目的とし、前記クランパの薄型化に伴って記録／再生装置及びこの記録／再生装置を内蔵する電子機器の一層の薄型化を可能にし、又、前記クランパの上下動作における不快な衝突音を軽減して静音特性を向上し、さらに、前記クランパの薄型構造が部品点数を増加することなく行えるようにすることも目的とする。
【課題を解決するための手段】
【００２０】
上記した目的を達成するために、本発明のクランパは、水平な支持板に取り付け開口部を形成し、前記取り付け開口部に回転自在及び上下動自在に嵌合する記録／再生装置のクランパであって、前記クランパは、円盤状の記憶媒体を押圧する円形皿状の底面部と、前記底面部の上面中央部に設置する環状の磁石体と、前記磁石体の周囲に間隔を設けて配設する複数個の基部片と、前記各基部片から同一方向に湾曲して延出し、前記底面部から離間した弾性を有するアーム片と、前記アーム片の先端部に前記底面部の径方向に対して外向きに突出する略水平の係止フィンとを備えたことを特徴としている（請求項１）。
【００２１】
又、請求項１に記載のクランパにおいて、底面部、基部片、アーム片、及び係止フィンを一体に形成したことを特徴としている（請求項２）。
【００２２】
そして、請求項１又は請求項２に記載のクランパにおいて、係止フィンの上面には、下向きに傾斜する傾斜面を形成したことを特徴としている（請求項３）。
【００２３】
さらに、請求項１乃至請求項３の何れか１つに記載のクランパにおいて、アーム片の少なくとも一部には、底面部の径方向に対して内向きに突出する係止突起を設け、前記係止突起の下面が前記底面部の上面中央部に設置する磁石体の上面に当接したことを特徴としている（請求項４）。
【００２４】
加えて、請求項４に記載のクランパにおいて、係止突起の上面を下向きに傾斜する傾斜面としたことと特徴としている（請求項５）。
【００２５】
つぎに、請求項１乃至請求項５の何れか１つに記載のクランパを備えた記録／再生装置において、少なくとも、外装ケースの上面に設置して取り付け開口部を有する金属製の水平な支持板と、前記支持板の取り付け開口部に回転及び上下動自在に嵌合する樹脂製のクランパと、前記クランパの内部に設置する磁石体と、前記クランパと対向する位置から前記外装ケースの内部に挿入する記憶媒体を持ち上げ回転可能とする磁性体を備えたターンテーブルと、前記記憶媒体の記録面にレーザー光を照射して情報の読み込み或いは書き込みを行うピックアップユニットとを備えた記録／再生装置において、前記ターンテーブルは高さ方向において移動可能とし、前記ターンテーブルが高位置にあるときは対向位置にある前記クランパとともに磁力により前記記憶媒体を挟持し、前記ターンテーブルが低位置にあるときは対向位置にある前記クランパと前記支持板との間で磁力が働いて前記クランパが吸引力により上方へと引き上げられる構造としたことを特徴としている（請求項６）。
【発明の効果】
【００２６】
まず、請求項１のクランパによれば、従来のフックとしての複数個の爪部を備えて各爪部をほほ垂直に支持板に引っ掛ける構造でなく、ディスク押圧部を形成する底面部上の各基部から同一方向（時計方向または反時計方向）に湾曲して延出したばね性を有するアーム片を備え、各アーム片の先端部に底面部の径方向に対して外向きに突出したほほ水平な係止フィンを形成し、支持板の取り付け開口部に下側から各アーム片を遊嵌することで、各係止フィンの下面が前記支持板の取り付け開口部周縁の上面側に当接して前記支持板に係止され、回転及び上下動自在に支持する構造としている。
【００２７】
この場合、各アーム片が、基部片に近い側から先端側に向かう程底面部との隙間が大きくなる形状であって、光ディスクの搬入動作、或いは前記光ディスクの搬出動作に伴うクランパの上下動のストロークを各アーム片に沿った螺旋運動的な動作によって確保するため、その分、従来のクランパと比較して薄型化することができる。しかも、係止フィンにより支持板に対する十分な掛り量が確保され、前記支持板に対して前記クランパを確実に係止することができる。
【００２８】
したがって、この種のクランパを備えた記録／再生装置を一層薄型構造にすることができ、その結果、この記録／再生装置を内蔵する電子機器の一層の薄型化を可能にすることができる。また、前記の螺旋運動的な動作では、クランパの上下動による不快な衝突音の発生を軽減して静音特性を向上することができる。
【００２９】
また、請求項２のクランパによれば、前記クランパを構成する底面部、基部片、アーム片、及び係止フィンを樹脂によって一体に形成しており、部品点数を増加することなく、組み立ての簡素化及びコストダウン等を図って請求項１と同様の効果を奏することができる。
【００３０】
さらに、請求項３のクランパによれば、各係止フィンの上面に下向きへと傾斜する傾斜面を形成しているため、支持板の取り付け開口部への遊嵌が容易に行え、組み立て作業が一層簡単に行える利点もある。
【００３１】
また、請求項４のクランパによれば、アーム片の少なくとも一部に底面部の径方向に対して内向きに突出する係止突起を設け、この係止突起の下面が前記底面部の上面中央部に設置する磁石体の上面に当接することにより、高速回転時等にも磁石体を確実に底面部の上面中央部に保持することができる。そして、請求項５のクランパのように、係止突起の上面に下向きへと傾斜する傾斜面を形成することにより、磁石体の嵌め込みが容易に行える利点もある。
【００３２】
つぎに、請求項６のクランパを備えた記録／再生装置によれば、支持板を金属製として記録／再生装置の上方に配置し、前記支持板に樹脂製のクランパを配置した構成とすることにより、前述と同様の効果に加えて、前記クランパの上下動に伴う衝突音をより一層軽減できる品位の向上を可能とした薄型の記録／再生装置を提供することができる。
【発明を実施するための最良の形態】
【００３３】
つぎに、本発明をより詳細に説明するため、その一実施形態について、図１〜図８にしたがって詳述する。
【００３４】
図１は本実施形態におけるトレイが収納状態にあるときの記録／再生装置の外観形状を示した斜視図である。図２は前記トレイが外部に搬出した状態にあるときの記録／再生装置の外観形状を示した斜視図である。図３は本実施形態におけるクランパ単体の外観形状を示した斜視図であり、図４は前記クランパ単体を示す平面図、図５は前記クランパ単体を示す正面図である。
【００３５】
又、図６は本実施形態におけるクランパのアーム片を示しており、図６（ａ）はアーム片近傍の部分拡大平面図であり、図６（ｂ）はアーム片近傍の部分拡大正面図である。そして、図７は本実施形態におけるクランパの取り付け前の状態を示す側面側断面図であり、図８は本実施形態におけるクランパの取り付け後の状態を示す側面側断面図である。
【００３６】
そして、図１及び図２にて示すように、本実施形態の記録／再生装置１はＤＶＤ、ＣＤ等の光ディスクの記録或いは再生の機能を有し、扁平な箱体状の外装ケース３は、上面が開放した合成樹脂の本体フレーム４ｂと、その上面を覆う天板としての金属の薄いプレート４ａとからなる。
【００３７】
本体フレーム４ｂは周知の記録／再生装置のものと同様で合成樹脂により形成しており、前記本体フレーム４ｂには、光ディスクの搬入、搬出の際に前後方向に直線往復運動可能な前記光ディスクを載置可能とする合成樹脂製のトレイ５が出入り自在に組み付けてある。そして、前記本体フレーム４ｂの内部には、前記トレイ５の直線往復運動に連動して前記本体フレーム４ｂの幅方向に摺動するラックローディングと、前記ラックローディングの摺動動作に連動して傾斜状態と水平状態に揺動を可能とするシャーシとが取り付けてあり、このシャーシには、前記トレイ５とともに搬入された光ディスクを載置して回転するターンテーブルと、前記ターンテーブルによって回転する光ディスクの記録面にレーザー光を照射して前記光ディスクへの情報の書き込み或いは前記光ディスクからの情報の読み込みを行うピックアップユニット等が設けられている。一方、前記本体フレーム４ｂの上面を覆うプレート４ａには、前記ターンテーブルと対向する位置にクランパ２が取り付けてあり、前記ターンテーブルと前記クランパとによって光ディスクを挟持する構造としている。
【００３８】
又、プレート４ａは、本体フレーム４ｂの強度向上及び不要輻射対策等を考慮して磁性体の金属製（鋼製）で形成してあり、前記本体フレーム４ｂの上部に嵌合して四隅部がねじ止めされている。
【００３９】
さらに、プレート４ａの前寄りの前記ターンテーブルと対向する位置にクランパ２の取り付け用の開口部６が形成してあり、この開口部６の位置にクランパ２が回転及び上下動自在に支持されることとなる。
【００４０】
つぎに、前記のターンテーブルとともに光ディスクを挟持するクランパ２の形状について詳述する。図３〜図５は前記クランパ単体の形状を示す斜視図、平面図、及び正面図であり、本実施形態の場合、合成樹脂の一体形成により、後述の磁石体を内蔵する一個の部品として形成される。
【００４１】
前記クランパ２は、光ディスクを押圧する円形皿状の底面部２１を有し、この底面部２１はプレート４ａの開口部６より若干大径であり、周縁部が中央部より一段高い段部に形成され、中央部はほぼ平坦である。
【００４２】
又、前記底面部２１の上面中央部には円筒体２２が上方に突出して設けられ、その外周の環状空間が図７及び図８に示す環状の磁石体７の収納部２３を形成する。尚、この磁石体７は、永久磁石７ａのみであってもよいが、本実施形態の場合は、磁カを高めるためのバックョーク用の鉄板７ｂを前記永久磁石７ａに取着している。この場合、少なくとも前記鉄板７ｂの外径が収納部２３の内径とほぼ等しくなる大きさに形成してある。
【００４３】
さらに、前記収納部２３の外周には、磁石体７の周囲に沿ってほぼ等間隔に薄板状の基部片２４が複数個、本実施形態では３個の基部片２４が上方に突出して設けられ、各基部片２４から前記磁石体７の周囲に沿うように 同一方向（時計方向または反時計方向）に湾曲した回転の径方向にばね性を有する図６に示すアーム片２５が延出して形成されている。
【００４４】
前記各アーム片２５は、各基部片２４に近い側から先端側に向かう程底面部２１から離間して底面部との隙間が大きくなる形状としており、光ディスクを載置可能とするトレイ５の搬入／搬出動作に伴うクランプ２の上下動のストロークを、前記基部片２４側から先端側、その逆に移動するいわゆる螺旋運動的な動作によって確保する。
【００４５】
そして、前記各アーム片２５の先端部には、少なくとも底面部２１の径方向に対して外向きに突出したほほ水平な係止フィン２６が形成されており、又、前記各係止フィン２６を形成した先端部の一部または全部（本実施形態では全部）には、前記底面部２１の径方向に対して内向きに突出して下面が磁石体７の上面に当接する係止突起２７が形成されている。
【００４６】
尚、本実施形態においては、前記各係止フィン２６は前記収納部２３の一部を切欠いて形成している。又、クランパ２がプレート４ａの開口部６に対して簡単に遊嵌できるようにするため、前記各係止フィン２６の上面には下向きに傾斜した傾斜面を形成している。さらに、図７に示す磁石体７の上方からの嵌め込みが容易に行なえるようにするため、前期各係止突起２７の上面にも下向きの傾斜面を形成している。
【００４７】
そして、プレート４ａにクランパ２を取り付ける場合、まず、前記プレート４ａに形成された開口部６に、前記プレート４ａの下方よりクランパ２の収納部２３を挿通すると、各係止フィン２６の上面に形成された傾斜面によって、前記クランパ２の各アーム片２５がそのばね性に抗して前記収納部２３側へと撓み、前記開口部６への挿通が容易に行え、前記収納部２３が前記開口部６を通過してプレート４ａの上面側に達したとき、撓み変形した状態の前記各アーム片２５が元の状態に戻ろうとする復帰力によって外周側へと広がり、前記各係止フィン２６の下面が前記プレート４ａの上面に接して前記クランパ２が前記プレート４ａの開口部６に対して係止されることとなる。
【００４８】
つぎに、プレート４ａに係止されたクランパ２の収納部２３に、磁石体７を上方から嵌め込んで取り付ける。このとき、各係止突起２７の上面に傾斜面を形成しているため、前記磁石体７を容易に嵌め込むことができ、又、前記磁石体７の嵌め込みによって各アーム片２５の撓み変形の規制も行なえる。
【００４９】
このようにしてプレート４ａの開口部６に遊嵌して図８に示すようにプレート４ａに懸垂状に取り付けられたクランパ２は、前記プレート４ａの下面側においては、ターンテーブル上方に開口部６よりも大径の底面部２１が位置し、前記プレート４ａの上方においては、収納部２３の一部を切欠いて形成した各アーム片２５先端の係止フィン２６が前記プレート４ａに対して係止することとなり、前記底面部２１と前記各係止フィン２６との間が前記クランパ２の上下方向における移動可能なストロークとなる。
【００５０】
その結果、光ディスクの載置を可能とするトレイ５の搬入／搬出動作に伴うクランパ２の上下動の際のストロークがいわゆる螺旋運動的な動作によって確保され、その分、従来のクランパ構造より厚みを薄くして形成でき、このクランパ２を備えた記録／再生装置１の薄型化ができる。しかも、ほぼ水平な係止フィン２６によりプレート４ａに対する十分な掛り量を確保して前記クランパ２を前記プレート４ａに対して確実に係止することができる。
【００５１】
しかも、クランパ２の樹脂部分のみが螺旋運動的な動作でプレート４ａと当接することとなるため、ターンテーブルが上昇する方向へとシャーシが傾動して磁石体７を内蔵するクランパ２に接近し、前記クランパ２が引き下げ方向に吸引する磁力が加わり、前記クランパ２の底面部２１がターンテーブルに載置された光ディスクの上面を押圧する前記光ディスクの挟持状態から、前記ターンテーブルが下降する方向へとシャーシが傾動して前記クランパ２から遠ざかり、前記クランパ２に内蔵する磁石体７とプレート４ａとの間で生じる磁力によって、前記クランパ２が引き上げられる前記光ディスクの非挟持状態になる場合、及び、その逆の動作を行う場合の前記プレート４ａの上面と前記各係止フィンとの間における衝突音や、或いは前記プレート４ａの下面と前記底面部２１との間における衝突音等を抑える効果があり、前記クランパ２の上下動による不快な衝突音の発生を軽減して静音特性を向上することができる。
【００５２】
そして、本発明は上述した実施形態に限定されるものではなく、その趣旨を逸脱しない範囲において上述したもの以外に種々の変更を行うことが可能であり、例えば、各アーム片２５等の個数は本実施形態に示す３箇所に限定せず適宜選定すればよく、又、プレート４ａの代わりに図９、図１０の従来例の支持部材２００のような水平な磁性体等の種々の支持板に本実施形態において説明したクランパ２を取り付けるような構成にしてもよい。
【００５３】
さらに、クランパ２等の各部の寸法や形状については設計条件等に応じて設定を変更してよいのは勿論である。
【００５４】
つぎに、収納部２３の磁石体７を永久磁石７ａのみとして部品点数を一層少なくして製造工場等における部品管理の簡素化、及び前記クランパ２の組み立て工程の簡素化等を図るようにしてもよく、磁石体７を安価にして記録／再生装置等の一層のコストダウンを図るため、永久磁石７ａの厚み寸法を小さくして、永久磁石７ａと同径のバックヨーク用の鉄板７ｂを重ねた状態で収納部２３に取り付けるようにしてもよい。
【００５５】
そして、本発明は、種々の外観形状、大きさの記録／再生装置のクランパに適用し、前記記録／再生装置の薄型化を図り、さらに、前記クランパを備えた記録／再生装置を内蔵する電子機器の薄型化を図ることができるのは勿論である。
【図面の簡単な説明】
【００５６】
【図１】本発明の実施形態におけるトレイが収納状態にあるときの記録／再生装置の外観形状を示す斜視図である。
【図２】同上、トレイが外部に搬出した状態にあるときの記録／再生装置の外観形状を示す斜視図である。
【図３】同上、クランパ単体の外観形状を示す斜視図である。
【図４】同上、クランパ単体の平面図である。
【図５】同上、クランパ単体の正面図である。
【図６】同上、クランパのアーム片を示しており、図６（ａ）はアーム片近傍の部分拡大平面図であり、図６（ｂ）はアーム片近傍の部分拡大正面図である。
【図７】同上、クランパの取り付け前の状態を示す側面側断面図である。
【図８】同上、クランパの取り付け後の状態を示す側面側断面図である。
【図９】従来技術におけるクランパの取り付け前の状態を示す分解斜視図である。
【図１０】同上、クランパの取り付け後の状態を示す側面側断面図である。
【符号の説明】
【００５７】
１    記録／再生装置
２    クランパ
３    外装ケース
４ｂ    プレート（天板）
５    トレイ
２１    底面部
２４    基部片
２５    アーム片
２６    係止フィン
２７    係止突起
【図１】
2007066429.tif 000003
【図２】
2007066429.tif 000004
【図３】
2007066429.tif 000005
【図４】
2007066429.tif 000006
【図５】
2007066429.tif 000007
【図６】
2007066429.tif 000008
【図７】
2007066429.tif 000009
【図８】
2007066429.tif 000010
【図９】
2007066429.tif 000011
【図１０】
2007066429.tif 000012